(57)【要約】【課題】表面での反射光による反射光柄の構成を透過光によって変え、反射光柄とは異なる透過光柄を表面に現出させる。【解決手段】柄を有するシート状の繊維体の少なくとも一方の表面において、一方の表面の部分表面よりなる１つの細部領域と同一表面にあって位置を異にする他の細部領域との一対比較において、反射光輝度大なる一方の細部領域の反射光輝度を反射光輝度小なる他方の細部領域の反射光輝度で除して算定される反射光輝度比と、その反射光輝度大なる一方の細部領域の透過光輝度を反射光輝度小なる他方の細部領域の透過光輝度で除して算定される透過光輝度比が反射光輝度比＞透過光輝度比＞１，透過光輝度比＞反射光輝度比＞１，反射光輝度比＞１＞透過光輝度比の三つの関係式をそれぞれ満たす異なる細部領域対が存在することによって反射光による反射光柄と透過光による透過光柄を異ならせる。【選択図】図１
2009203574.tif 000002
【特許請求の範囲】
【請求項１】
柄を有するシート状の繊維体であって、少なくとも一方の表面において、一方の表面の部分表面よりなる１つの細部領域と同一表面にあって位置を異にする他の細部領域との一対比較において、反射光輝度大なる一方の細部領域の反射光輝度を反射光輝度小なる他方の細部領域の反射光輝度で除して算定される反射光輝度比と、その反射光輝度大なる一方の細部領域の透過光輝度を反射光輝度小なる他方の細部領域の透過光輝度で除して算定される透過光輝度比が、（１）  反射光輝度比＞透過光輝度比＞１，（２）  透過光輝度比＞反射光輝度比＞１，（３）  反射光輝度比＞１＞透過光輝度比  の三つの関係式をそれぞれ満たす異なる細部領域対が存在することによって、反射光によって看取される反射光柄と透過光によって看取される透過光柄が異なることを特徴とする柄付き繊維構造体。
【請求項２】
一部の複数の細部領域が一体になって現出し、その一体になった複数の細部領域を包囲又は隣接する他の細部領域に縁取られて現出する複合領域が透過光柄に構成されている前掲請求項１に記載の柄付き繊維構造体。
【請求項３】
（１）  高輝領域（Ａ）の反射光輝度Ｗと低輝領域（Ｂ）の反射光輝度Ｚとの反射光輝度比Ｗ／Ｚが４以上となる高輝領域（Ａ）と低輝領域（Ｂ）が隣り合っており、
（２）  少なくともその低輝領域（Ｂ）において、色彩と反射光輝度の何れかが異なる内部細部領域（ｂ１・ｂ２，ｂ２・ｂ３，ｂ３・ｂ１，………）が隣り合っている反射光柄が、繊維によってシート状に構成された繊維構造体の表面に描出されており、
（３）  その低輝領域（Ｂ）の内部の隣り合う少なくとも２つの低輝内部細部領域（ｂ１・ｂ２，ｂ２・ｂ３，ｂ３・ｂ１，………）の透過光輝度比が１０以下であり、
（４）  高輝領域（Ａ；ａ１・ａ２）の透過光輝度Ｐと低輝領域（Ｂ；ｂ１・ｂ２）の透過光輝度Ｑの透過光輝度比Ｐ／Ｑが３５以上である前掲請求項１と２の何れかに記載の柄付き繊維構造体。
【請求項４】
高輝領域（Ａ）と低輝領域（Ｂ）、及び、低輝領域（Ｂ）の内部の２つの低輝内部細部領域（ｂ１・ｂ２，ｂ２・ｂ３，ｂ３・ｂ１，………）の何れかの２つの領域（ＡとＢ，及び，ｂ１・ｂ２，ｂ２・ｂ３，ｂ３・ｂ１，………）が着色剤によって色分けされており、その着色剤の繊維構造体の内部への浸透度が異なっている前掲請求項３に記載の柄付き繊維構造体。
【請求項５】
低輝領域（Ｂ）に隣り合う高輝領域（Ａ）の内部に、その高輝領域（Ａ）を構成している高輝内部細部領域（ａ１・ａ２）の反射光輝度Ｗとの反射光輝度比（Ｗ／Ｚ）が４以上となり、その高輝領域（Ａ）を構成している高輝内部細部領域（ａ１・ａ２）の透過光輝度Ｐとの透過光輝度比Ｐ／Ｑが３５以上となる反射光輝度Ｚと透過光輝度Ｑを有する高輝領域内部低輝領域（Ａｂ）ｘが介在している前掲請求項３と４の何れかに記載の柄付き繊維構造体。
【請求項６】
高輝領域（Ａ）と高輝領域内部低輝領域（Ａｂｘ）が着色剤によって色分けされており、その着色剤の繊維構造体の内部への浸透度が異なっている前掲請求項５に記載の柄付き繊維構造体。
【請求項７】
高輝領域（Ａ）に隣り合う低輝領域（Ｂ）の内部に、その低輝領域（Ｂ）を構成している低輝内部細部領域（ｂ１・ｂ２）の反射光輝度Ｚとの反射光輝度比Ｗ／Ｚが４以上となり、その低輝領域（Ｂ）を構成している低輝内部細部領域（ｂ１・ｂ２）の透過光輝度Ｑとの透過光輝度比Ｐ／Ｑが３５以上となる反射光輝度Ｗと透過光輝度Ｐを有する低輝領域内部高輝領域（Ｂａｘ）が介在している前掲請求項３と４と５と６の何れかに記載の柄付き繊維構造体。
【請求項８】
低輝領域（Ｂ）と低輝領域内部高輝領域（Ｂａｘ）が着色剤によって色分けされており、その着色剤の繊維構造体の内部への浸透度が異なっている前掲請求項７に記載の柄付き繊維構造体。
【請求項９】
繊維構造体の繊維密度が部分的に異なり、その繊維密度の部分的相異による透かし模様を有する前掲請求項３と４と５と６と７と８の何れかに記載の柄付き繊維構造体。
【請求項１０】
繊維構造体の裏面に遮蔽材が部分的に貼り合わされており、その遮蔽材による影絵を有する前掲請求項２と３と４と５と６と７と８と何れかに記載の柄付き繊維構造体。
【請求項１１】
繊維構造体がパイル布帛であり、そのパイル面に反射光柄が描出されている前掲請求項３と４と５と６と７と８と９と１０の何れかに記載の柄付き繊維構造体。
【発明の詳細な説明】
【技術分野】
【０００１】
本発明は、織物、編物、不織布等の布帛、繊維積層ウエブをバインダー樹脂によって硬く仕上げた繊維積層体、数種類の布帛や繊維積層板を重ね合わせた繊維複合体等の繊維によって平板に構成された繊維構造体（以下、単に繊維構造体と言う。）の表面に反射光によって現出する反射光柄と裏面からの透過光によって現出する透過光柄が描出された柄付き繊維構造体に関するものである。
【背景技術】
【０００２】
布帛を構成している繊維の一部を溶解除去して生じる部分的繊維密度差によって布帛に透かし模様を描出することは公知である（例えば、特許文献１・２参照）。
布帛に印捺インクを深く浸透させて裏面からの透過光によって印捺柄を表面に鮮明に現出させる技法は公知である（例えば、特許文献３参照）。
【０００３】
【特許文献１】特開２００７−０３９８５４号公報
【特許文献２】特開２００６−１７６９４６号公報
【特許文献３】特開２００７−１４８３７５号公報
【発明の開示】
【発明が解決しようとする課題】
【０００４】
透かし模様（例えば、特許文献１・２参照）は、透過光によって現出するものであって表面での反射光によっては現出させることは出来ない。
印捺インクを深く浸透させただけ（例えば、特許文献３参照）では、表面での反射光による反射光柄全体の構図を透過光によって変えることは出来ない。
【０００５】
そこで本発明は、シート状に構成された繊維構造体の表面に照射される光の反射光によって現出して散在する複数の細部領域によって構成される反射光絵柄が描出される繊維構造体の裏面に照射される光の透過光によって、一部の細部領域が、その細部領域を包囲又は隣接する他の細部領域と一体になって現出する結合領域と、一部の細部領域が、その細部領域を包囲又は隣接する他の細部領域に縁取られて現出する定常領域によって構成される透過光絵柄を現出し、以て、表面での反射光による反射光柄の構図を透過光によって変え、反射光柄とは異なる透過光柄を表面に現出させることを目的とする。
【課題を解決するための手段】
【０００６】
本発明に係る柄付き繊維構造体は、柄を有するシート状の繊維体であって、少なくとも一方の表面において、一方の表面の部分表面よりなる１つの細部領域と同一表面にあって位置を異にする他の細部領域との一対比較において、反射光輝度大なる一方の細部領域の反射光輝度を反射光輝度小なる他方の細部領域の反射光輝度で除して算定される反射光輝度比と、その反射光輝度大なる一方の細部領域の透過光輝度を反射光輝度小なる他方の細部領域の透過光輝度で除して算定される透過光輝度比が、（１）  反射光輝度比＞透過光輝度比＞１，（２）  透過光輝度比＞反射光輝度比＞１，（３）  反射光輝度比＞１＞透過光輝度比  の三つの関係式をそれぞれ満たす異なる細部領域対が存在することによって、反射光によって看取される反射光柄と透過光によって看取される透過光柄を異ならせることを第１の特徴とする。
【０００７】
本発明に係る柄付き繊維構造体の第２の特徴は、上記第１の特徴に加えて、一部の複数の細部領域が一体になって現出し、その一体になった複数の細部領域を包囲又は隣接する他の細部領域に縁取られて現出する複合領域が透過光柄に構成されている点にある。
【０００８】
本発明に係る柄付き繊維構造体の第３の特徴は、上記第１、第２の何れかの特徴に加えて、（１）  高輝領域Ａの反射光輝度Ｗと低輝領域Ｂの反射光輝度Ｚとの反射光輝度比（Ｗ／Ｚ）が４以上となる高輝領域Ａと低輝領域Ｂが隣り合っており、（２）  少なくともその低輝領域Ｂにおいて、色彩と反射光輝度の何れかが異なる内部細部領域ｂ１・ｂ２（ｂ２・ｂ３，ｂ３・ｂ１，………）が隣り合っている反射光柄が、繊維によってシート状に構成された繊維構造体の表面に描出されており、（３）  その低輝領域Ｂの内部の隣り合う少なくとも２つの低輝内部細部領域ｂ１・ｂ２（ｂ２・ｂ３，ｂ３・ｂ１，………）の透過光輝度比が１０以下であり、（４）  高輝領域Ａ（ａ１・ａ２）の透過光輝度Ｐと低輝領域Ｂ（ｂ１・ｂ２）の透過光輝度Ｑの透過光輝度比（Ｐ／Ｑ）が３５以上である点にある。
【０００９】
本発明に係る柄付き繊維構造体の第４の特徴は、上記第３の特徴に加えて、高輝領域Ａと低輝領域Ｂ、及び、低輝領域Ｂの内部の２つの低輝内部細部領域ｂ１とｂ２（ｂ２・ｂ３，ｂ３・ｂ１，………）の何れかの２つの領域ＡとＢ及びｂ１とｂ２（ｂ２・ｂ３，ｂ３・ｂ１，………）が着色剤によって色分けされており、その着色剤の繊維構造体の内部への浸透度が異なっている点にある。
【００１０】
本発明に係る柄付き繊維構造体の第５の特徴は、上記第３、第４の何れかの特徴に加えて、低輝領域Ｂに隣り合う高輝領域Ａの内部に、その高輝領域Ａを構成している高輝内部細部領域（ａ１・ａ２）の反射光輝度Ｗとの反射光輝度比（Ｗ／Ｚ）が４以上となり、その高輝領域Ａを構成している高輝内部細部領域（ａ１・ａ２）の透過光輝度Ｐとの透過光輝度比（Ｐ／Ｑ）が３５以上となる反射光輝度Ｚと透過光輝度Ｑを有する高輝領域内部低輝領域Ａｂｘが介在している点にある。
【００１１】
本発明に係る柄付き繊維構造体の第６の特徴は、上記第第５の特徴に加えて、高輝領域Ａと高輝領域内部低輝領域Ａｂｘが着色剤によって色分けされており、その着色剤の繊維構造体の内部への浸透度が異なっている点にある。
【００１２】
本発明に係る柄付き繊維構造体の第７の特徴は、上記第３、第４、第５、第６の何れかの特徴に加えて、高輝領域Ａに隣り合う低輝領域Ｂの内部に、その低輝領域Ｂを構成している低輝内部細部領域（ｂ１・ｂ２）の反射光輝度Ｚとの反射光輝度比（Ｗ／Ｚ）が４以上となり、その低輝領域Ｂを構成している低輝内部細部領域（ｂ１・ｂ２）の透過光輝度Ｑとの透過光輝度比（Ｐ／Ｑ）が３５以上となる反射光輝度Ｗと透過光輝度Ｐを有する低輝領域内部高輝領域Ｂａｘが介在している点にある。
【００１３】
本発明に係る柄付き繊維構造体の第８の特徴は、上記第７の特徴に加えて、低輝領域Ｂと低輝領域内部高輝領域Ｂａｘが着色剤によって色分けされており、その着色剤の繊維構造体の内部への浸透度が異なっている点にある。
【００１４】
本発明に係る柄付き繊維構造体の第９の特徴は、上記第３、第４、第５、第６、第７、第８の何れかの特徴に加えて、繊維構造体の繊維密度が部分的に異なり、その繊維密度の部分的相異による透かし模様を有する点にある。
【００１５】
本発明に係る柄付き繊維構造体の第１０の特徴は、上記第３、第４、第５、第６、第７、第８、第９の何れかの特徴に加えて、繊維構造体の裏面に遮蔽材が部分的に貼り合わされており、その遮蔽材による影絵を有する点にある。
【００１６】
本発明に係る柄付き繊維構造体の第１１の特徴は、上記第３、第４、第５、第６、第７、第８、第９、第１０の何れかの特徴に加えて、繊維構造体がパイル布帛であり、そのパイル面に反射光柄が描出されている点にある。
【発明の効果】
【００１７】
反射光柄において隣り合う細部領域間の透過光輝度比が大きく１０を超えると、その隣り合う細部領域間での透過光による減色効果が少なく、その細部領域によって構成される反射光柄は、透過光のもとでも定常領域としてそのまま透過光柄として現出することになる。
しかし、反射光柄において隣り合う細部領域の透過光輝度が共に大きければ、透過光による減色効果が大きく現われ、明るさだけが目に映り、その反射光柄において隣り合う細部領域間の見境がつかず、その隣り合う細部領域は融合して一体になった結合領域として現出し、反射光において現出していた反射光柄の構図が消失する。
又、反射光柄において隣り合う細部領域の透過光輝度が共に少なく、その隣り合う細部領域間の透過光輝度比が１０以下になると、その隣り合う細部領域間間に色差があっても、透過光のもとでは、その隣り合う細部領域は融合して一体になった同じ暗黒色の結合領域として目に映り、反射光において現出していた反射光柄の構図が消失する。
【００１８】
本発明（第１の特徴）によると、柄を有するシート状の繊維体の少なくとも一方の表面において、一方の表面の部分表面よりなる１つの細部領域と同一表面にあって位置を異にする他の細部領域との一対比較において、反射光輝度大なる一方の細部領域の反射光輝度を反射光輝度小なる他方の細部領域の反射光輝度で除して算定される反射光輝度比と、その反射光輝度大なる一方の細部領域の透過光輝度を反射光輝度小なる他方の細部領域の透過光輝度で除して算定される透過光輝度比が、（１）  反射光輝度比＞透過光輝度比＞１，（２）  透過光輝度比＞反射光輝度比＞１，（３）  反射光輝度比＞１＞透過光輝度比  の三つの関係式をそれぞれ満たす異なる細部領域対が存在することで、反射光柄が透過光のもとでは共に透過光輝度の大きい隣り合う細部領域間の構図や、透過光輝度比が１０以下の隣り合う細部領域間の構図が消失することになり、その構図が消失した結合領域と構図の変化しない定常領域とから成る透過光柄に反射光柄が変化し、その美観の変化を楽しむことが出来る。
【００１９】
その結合領域や定常領域に他の複数の細部領域が一体になって囲まれる複合領域が加わるときは、その反射光柄と透過光柄との間での外観変化が大きくなる。
そして、透過光のもとでは、その定常領域と結合領域に加えて、透過光のもとで消失する隣り合う複数の細部領域が透過光輝度比の大きい細部領域に縁取られた複合領域が現われる。
従って、本発明（第２の特徴）による透過光柄は、反射光柄の構図が複雑に変化したものとなる。
【００２０】
本発明（第３の特徴）では、反射光柄から透過光柄の構図への変化の度合いを光学的に規定したので、反射光柄から複雑に変化する透過光柄を画一的に表現することが出来る。即ち、高輝領域Ａの反射光輝度Ｗと低輝領域Ｂの反射光輝度Ｚとの反射光輝度比（Ｗ／Ｚ）が４以上となる高輝領域Ａと低輝領域Ｂが隣り合っており、その低輝領域Ｂにおいて、色彩と反射光輝度の何れかが異なる内部細部領域ｂ１・ｂ２（ｂ２・ｂ３，ｂ３・ｂ１，………）が隣り合っている反射光柄において、
（１）  隣り合う高輝領域Ａと低輝領域Ｂの反射光輝度比（Ｗ／Ｚ）が４以上であれば、高輝領域Ａと低輝領域Ｂに色分けされた反射光柄を現出させることが出来る。
（２）  その低輝領域Ｂにおいて隣り合う低輝内部細部領域ｂ１・ｂ２（ｂ２・ｂ３，ｂ３・ｂ１，………）の色彩や反射光輝度が異なっていれば、その低輝内部細部領域ｂ１と低輝内部細部領域ｂ２に色分けされた反射光柄を現出させることが出来る。
（３）  その低輝領域Ｂの内部の隣り合う２つの低輝内部細部領域ｂ１・ｂ２（ｂ２・ｂ３，ｂ３・ｂ１，………）の透過光輝度比を１０以下にすると、その隣り合う２つの低輝内部細部領域ｂ１・ｂ２（ｂ２・ｂ３，ｂ３・ｂ１，………）は、透過光のもとでは、その隣り合う細部領域は融合して一体になった暗黒色系の結合領域として目に映る。
（４）  透過光輝度比（Ｐ／Ｑ）が３５以上となる透過光輝度Ｐの高輝領域Ａ（ａ１・ａ２）と透過光輝度Ｑの低輝領域Ｂ（ｂ１・ｂ２）の間の境目では構図が変化しない定常領域として目に映る。
【００２１】
高輝領域Ａと低輝領域Ｂ、及び、低輝領域Ｂの内部の２つの低輝内部細部領域ｂ１とｂ２（ｂ２・ｂ３，ｂ３・ｂ１，………）の何れかの２つの領域ＡとＢ及びｂ１とｂ２（ｂ２・ｂ３，ｂ３・ｂ１，………）が着色剤によって色分けされ、繊維構造体が反射光によって多彩な反射光柄に彩られていても、その高輝領域Ａと低輝領域Ｂを彩る着色剤の繊維構造体の内部への浸透度が異なる場合は、その浸透度合いに応じて透過光柄の色彩が濃淡変化する。
従って、本発明（第４の特徴）によると、高輝領域Ａと低輝領域Ｂを彩る着色剤の繊維構造体の内部への浸透度を変えることによって、反射光柄から透過光柄へと複雑に変化する美観を感得することが出来る。
【００２２】
高輝領域Ａにおいては、その内部の隣り合う高輝内部細部領域ａ１と高輝内部細部領域ａ２の透過光輝度比が１．２以下となり、それらの内部細部領域間ａ１・ａ２に色差があっても、透過光のもとでは境界部分で減色されて境界が不明瞭になる。
特に、透過光輝度比が１．０４以下になると、隣り合う高輝内部細部領域ａ１と高輝内部細部領域ａ２の明るさだけが目に映り、高輝内部細部領域ａ２と、その高輝内部細部領域ａ２を包囲又は隣接する他の高輝内部細部領域ａ１が一体になった結合領域が発生する。
従って、その低輝領域Ｂに隣り合う高輝領域Ａの内部に、その高輝内部細部領域（ａ１・ａ２）との反射光輝度比（Ｗ／Ｚ）が４以上となり、その高輝内部細部領域（ａ１・ａ２）との透過光輝度比（Ｐ／Ｑ）が３５以上となる高輝領域内部低輝領域Ａｂｘが介在する柄では、反射光柄から透過光柄へと変化するとき、明るく淡い結合領域となった高輝領域Ａの内部に高輝領域内部低輝領域Ａｂｘが突如として現われることになる。
従って、本発明（第５の特徴）によると、明るく淡い高輝領域Ａの内部に高輝領域内部低輝領域Ａｂｘが突如として現われて驚異的に変化する美観を感得することが出来る。
【００２３】
高輝領域Ａと高輝領域内部低輝領域Ａｂｘが着色剤によって色分けされており、その着色剤の繊維構造体の内部への浸透度が異なっていれば、その浸透度合いに応じて透過光柄の色彩が濃淡変化する。
従って、本発明（第６の特徴）によると、高輝領域Ａと高輝領域内部低輝領域Ａｂｘを彩る着色剤の繊維構造体の内部への浸透度を変えることによって、反射光柄から透過光柄へと複雑に変化する美観を感得することが出来る。
【００２４】
低輝領域Ｂにおいては、その内部の隣り合う２つの低輝内部細部領域ｂ１・ｂ２（ｂ２・ｂ３，ｂ３・ｂ１，………）の透過光輝度比が１０以下になると、その隣り合う２つの低輝内部細部領域ｂ１・ｂ２（ｂ２・ｂ３，ｂ３・ｂ１，………）は、透過光のもとでは、その隣り合う細部領域は融合して一体になった暗黒色系の結合領域として目に映る。
従って、その高輝領域Ａに隣り合う低輝領域Ｂの内部に、その低輝内部細部領域（ｂ１・ｂ２）との反射光輝度比（Ｗ／Ｚ）が４以上となり、その低輝内部細部領域（ｂ１・ｂ２）との透過光輝度比（Ｐ／Ｑ）が３５以上となる低輝領域内部高輝領域Ｂａｘが介在する柄では、反射光柄から透過光柄へと変化するとき、暗黒色の無地一色の結合領域となった低輝領域Ｂの内部に低輝領域内部高輝領域Ｂａｘが突如として現われる。
従って、本発明（第７の特徴）によると、暗黒色の無地一色になった低輝領域Ｂの内部に低輝領域内部高輝領域Ｂａｘが突如として現われて驚異的に変化する美観を感得することが出来る。
【００２５】
低輝領域Ｂと低輝領域内部高輝領域Ｂａｘが着色剤によって色分けされており、その着色剤の繊維構造体の内部への浸透度が異なっていれば、その浸透度合いに応じて透過光柄の色彩が濃淡変化する。
従って、本発明（第８の特徴）によると、低輝領域Ｂと低輝領域内部高輝領域Ｂａｘを彩る着色剤の繊維構造体の内部への浸透度を変えることによって、反射光柄から透過光柄へと複雑に変化する美観を感得することが出来る。
【００２６】
本発明（第９の特徴）によると、繊維構造体の繊維密度が部分的に異なっており、その繊維密度の部分的相異する透かし模様によって透過光柄が多彩なものとなり、反射光柄から透過光柄への変化が更に複雑多彩になり、その変化する美観を感得することが出来る。
【００２７】
本発明（第１０の特徴）によると、繊維構造体の裏面に遮蔽材が部分的に貼り合わされており、高輝領域Ａと低輝領域Ｂによる透過光柄に遮蔽材が影絵となって重複して現われ、その影絵によって高輝領域Ａの内部において隣り合う高輝内部細部領域ａ１とａ２（ａ２・ａ３，ａ３・ａ１，………）や低輝領域Ｂの内部において隣り合う低輝内部細部領域ｂ１とｂ２（ｂ２・ｂ３，ｂ３・ｂ１，………）の柄際が先鋭に縁取られて透過光柄の見映えがよくなる。
【００２８】
高輝領域Ａにおいては、その内部の隣り合う高輝内部細部領域ａ１と高輝内部細部領域ａ２の透過光輝度比が１．２以下となり、それらの内部細部領域間ａ１・ａ２に色差があっても、透過光のもとでは境界部分で減色されて境界が不明瞭になり、透過光輝度比が１．０４以下になると、その隣り合う高輝内部細部領域ａ１と高輝内部細部領域ａ２の明るさだけが目に映る結合領域となる。
又、低輝領域Ｂにおいては、その内部の隣り合う２つの低輝内部細部領域ｂ１・ｂ２の透過光輝度比が１０以下になると、その隣り合う２つの低輝内部細部領域ｂ１・ｂ２は、透過光のもとでは、その隣り合う細部領域は融合して一体になった暗黒色系の結合領域として目に映る。
その点、繊維構造体の裏面に遮蔽材を部分的に貼り合わせ、透過光のもとで影絵となって現われるようにすれば、その結合領域となるべき高輝内部細部領域間ａ１・ａ２や低輝内部細部領域間ｂ１・ｂ２の境界部分に遮蔽材による影絵が現われ、それらの柄際が先鋭に縁取られる。
従って、本発明（第１０の特徴）によると、所要の細部領域を遮蔽材による影絵で縁取って透過光柄を一層多彩で見映えよくすることが出来る。
【００２９】
本発明（第１１の特徴）によると、パイル布帛では、パイル立毛が透過光の直進方向に平行に並んでいるため、透過光が透過し易く、透過光柄の形際が先鋭になり、又、パイル立毛の長さ方向に沿って着色剤が浸透するので、その浸透度を容易に変えることが出来、描出される反射光柄や透過光柄が多彩になる。
【００３０】
このように本発明によると、同じ表面に構図の異なる反射光柄と透過光柄が入れ替わりに現われて人目を惹く柄付き繊維構造体を得ることが出来る。
【発明を実施するための最良の形態】
【００３１】
高輝領域Ａと低輝領域Ｂとによる反射光柄を鮮明にするためには、高輝領域Ａの反射光輝度Ｗと、その高輝領域Ａに隣り合う低輝領域Ｂの反射光輝度Ｚと反射光輝度比（Ｗ／Ｚ）を７以上にするとよい。
高輝領域Ａと低輝領域Ｂとによる透過光柄を鮮明にするためには、高輝領域Ａの透過光輝度Ｐと、その高輝領域Ａに隣り合う低輝領域Ｂの透過光輝度Ｑの透過光輝度比（Ｐ／Ｑ）を７０以上にするとよい。
【００３２】
高輝領域Ａにおいて隣り合う２つの高輝内部細部領域ａ１・ａ２が透過光のもとで融合一体化して明白色結合領域になるようにするためには、その高輝領域Ａにおいて隣り合う２つの高輝内部細部領域ａ１・ａ２の透過光輝度Ｐと透過光輝度Ｐ’との透過光輝度比（Ｐ／Ｐ’）を１．０４以下に、更に好ましくは１．０２前後にするとよい。
【００３３】
低輝領域Ｂにおいて隣り合う２つの低輝内部細部領域ｂ１・ｂ２が透過光のもとで融合一体化して暗黒色結合領域になるようにするためには、その低輝領域Ｂにおいて隣り合う２つの低輝内部細部領域ｂ１・ｂ２の透過光輝度Ｑと透過光輝度Ｑ’との透過光輝度比（Ｑ／Ｑ’）を５以下に、更に好ましくは１．１前後にするとよい。
【００３４】
本発明において、透過光輝度比は、隣り合う領域のうちの透過光輝度の小さい領域の透過光輝度の値によって透過光輝度の大きい領域の透過光輝度の値を除して算定される。
【００３５】
高輝領域Ａは低輝領域Ｂに囲まれていてもよいし、それとは逆に、低輝領域Ｂが高輝領域Ａに囲まれていてもよく、又、繊維構造体の表面が高輝領域Ａと低輝領域Ｂに２分されていてもよい（図１、図２）。
反射光柄は、図１に図示するように、複数の高輝内部細部領域ａ１、ａ２、ａ３………に成る複数の高輝領域Ａと、複数の低輝内部細部領域ｂ１、ｂ２、ｂ３………に成る複数の低輝領域Ｂに成るものであってもよい。
図２は、その複数の高輝内部細部領域ａ１、ａ２、ａ３………に成る複数の高輝領域Ａと、複数の低輝内部細部領域ｂ１、ｂ２、ｂ３………に成る複数の低輝領域Ｂに成る反射光柄（図１）が透過光のもとで変化した透過光柄を示す。
図３〜図９は、図１と図２に示す柄の符号ＥとＦとＧとＨとＩおよびＪで示す部分の細部柄を示す。図３〜図９において、分図（１）は反射光柄を示す、分図（２）は透過光柄を示す。
【００３６】
高輝領域Ａと低輝領域Ｂの境界部分、高輝内部細部領域ａ１と高輝内部細部領域ａ２の境界部分、低輝内部細部領域ｂ１と低輝内部細部領域ｂ２の境界部分等の隣り合う２つの領域の境界部分では、反射光輝度や透過光輝度がなだらかに変化していてもよい。
反射光柄や透過光柄を形際で反射光輝度や透過光輝度がなだらかに変化したボカシ柄とする場合、その形際で隣り合う細部領域は一体になった結合領域となって現出することになる。
【００３７】
柄は、染料（染液、インク）や顔料（塗料）を繊維構造体の表面に印捺・塗布して描出するほか、貼り絵のように着色フイルムを繊維構造体の表面に貼り付けて描出することも出来る。
柄の領域の反射光輝度は、その領域を描出するために使用する染料や顔料、着色フイルムによって設定される。
柄の領域の透過光輝度は、染料や顔料、着色フイルム等の輝度によるほか、染料や顔料の印捺・塗布量、繊維構造体内部への浸透度、或いは着色フイルムの隠蔽性（厚み）によって設定することが出来る。
蛍光染料や蛍光顔料は、透過光輝度を高めたい場合に有効である。
それとは逆に、酸化チタン等の体質顔料は、透過光輝度を低くしたい場合に有効である。
【００３８】
透かし模様は、抜蝕剤を繊維構造体に印捺し、繊維構造体を構成している繊維の一部を溶解除去して繊維密度を部分的に変えて描出するほか、繊維構造体を染着性の異なる数種類の繊維による複合積層体とし、繊維構造体に染料を浸透させて内部積層の何れかの繊維を選択的に染色して描出することも出来る。
【００３９】
表面の反射光柄とは異なる構図の柄を繊維構造体の裏面に描出することは、透かし模様を現出する上で有効である。
表面の反射光柄と同じ構図の柄を繊維構造体の裏面に描出することは、表面で反射光柄から透過光柄への変化を増長する上で有効である。
その場合、その裏面の柄を酸化チタン等の体質顔料で描出する場合には、その柄が影絵となって透過光柄に現出するので、透過光柄において結合領域となるべき高輝内部細部領域間ａ１・ａ２や低輝内部細部領域間ｂ１・ｂ２の境界部分の柄際を先鋭に縁取ることも可能となる。
【００４０】
反射光輝度と透過光輝度（単位：ｃｄ／ｍ2 ）は、床と天井と周囲壁面を表面反射のない黒色の繊維製内装材で被覆した暗室において、ＪＩＳ−Ｚ−８７２３に規定される常用光源Ｄ６５と分光放射計（トプコン製ＳＲ−３Ａ）を使用し、それらを繊維構造体の表面又は裏面から８０ｃｍ離れた位置に放置して測定される。
【００４１】
反射光輝度については、繊維構造体の表面に照射角度が４５度となる斜め方向から光を当て、その照射箇所に直交する繊維構造体の表面において反射光を測定する。
透過光輝度については、互いに向き合う分光放射計と光源の中間に裏面を光源に向け、表面を分光放射計に向けて繊維構造体を設置して測定する。
【００４２】
本発明の柄付き繊維構造体は、ロールスクリーン、ローマンシェード、スタイルカーテン、パネルカーテン等のカーテン、間仕切り、屏風、電気スタンドカバー、照明器具カバー、照明パネル、装飾パネル、ディスプレー等に利用される。
【図面の簡単な説明】
【００４３】
【図１】本発明に係る柄付き繊維構造体の表面図である。
【図２】本発明に係る柄付き繊維構造体の表面図である。
【図３】本発明に係る柄付き繊維構造体の要部拡大表面図である。
【図４】本発明に係る柄付き繊維構造体の要部拡大表面図である。
【図５】本発明に係る柄付き繊維構造体の要部拡大表面図である。
【図６】本発明に係る柄付き繊維構造体の要部拡大表面図である。
【図７】本発明に係る柄付き繊維構造体の要部拡大表面図である。
【図８】本発明に係る柄付き繊維構造体の要部拡大表面図である。
【図９】本発明に係る柄付き繊維構造体の要部拡大表面図である。
【符号の説明】
【００４４】
Ａ：高輝領域
Ａｂｘ：高輝領域内部低輝領域
ａ１・ａ２・ａ３：高輝内部細部領域
Ｂ：低輝領域
Ｂａｘ：低輝領域内部高輝領域
ｂ１・ｂ２・ｂ３：低輝内部細部領域
【図１】
2009203574.tif 000003
【図２】
2009203574.tif 000004
【図３】
2009203574.tif 000005
【図４】
2009203574.tif 000006
【図５】
2009203574.tif 000007
【図６】
2009203574.tif 000008
【図７】
2009203574.tif 000009
【図８】
2009203574.tif 000010
【図９】
2009203574.tif 000011